(57)【要約】【課題】被包装物が重量物であっても、コンパクトで、外部からの衝撃を緩和する緩衝機能に優れているとともに、容易且つ低コストで製作、搬送及び廃棄することができる緩衝体及びこれを用いた包装箱を提供する。【解決手段】開口部１０を有する水平支持板４と、その四辺から垂直に立ち上がり、または立ち下がる垂直支持板６，８からなるブランク材１，２を、弾性シート３０を挟持するように、弾性シート３０の両面に貼り合わせたものであり、ブランク材１，２同士の垂直支持板６の方向が同一、且つ、開口部１０に弾性シート３０が張り渡されてなる。【選択図】  図１
2004284596.tif 000002
【特許請求の範囲】
【請求項１】
２枚の弾性シートの間で被包装物を把持し、前記被包装物を包装箱の壁面から離した状態で保持する１対の緩衝部材からなる緩衝体であって、
前記緩衝部材が、開口部を有する水平支持板と、その四辺から垂直に立ち上がり、または立ち下がる垂直支持板からなるブランク材を、前記弾性シートを挟持するように、前記弾性シートの両面に貼り合わせたものであり、ブランク材同士の垂直支持板の方向が同一、且つ、前記開口部に前記弾性シートが張り渡されてなることを特徴とする緩衝体。
【請求項２】
前記ブランク材同士を、その断面形状において直交するように貼り合わせる請求項１に記載の緩衝体。
【請求項３】
ブランク材が、厚紙、段ボール紙、プラスチックシート、発泡プラスチックシート、気泡ボード及びプラスチック段ボールのいずれか１つから形成されている請求項１又は２に記載の緩衝体。
【請求項４】
請求項１〜３のいずれか１項に記載の緩衝体を用いたことを特徴とする包装箱。
【発明の詳細な説明】
【０００１】
【発明の属する技術分野】
本発明は、外部からの衝撃に対して被包装物を保護する緩衝体及びこれを用いた包装箱に関する。
【０００２】
【従来の技術】
陶器、ガラス製品、電気・電子機器、精密機械部品そのほか衝撃に弱い物品を輸送・保管するための包装箱として、在来の、発泡ポリスチロールの箱やコーナーパッドを段ボール箱にとりつけたもの、あるいはバラ状の緩衝材またはそれを小袋に詰めたものを充填する包装箱に代って、いわゆる「ハンモック包装」が提案され、一部実用されている。
「ハンモック包装」とは、図４及び図５に示すように、板状の枠（緩衝部材）５０，５２に弾性シート３０を張ったもので被包装物４０を上下から挟んで全体を箱６０の中に入れ、被包装物４０を箱６０内の空間に、箱６０の壁から離した状態で保持する包装である（例えば、特許文献１〜４参照）。
【０００３】
【特許文献１】
米国特許第４８５２７４３号明細書
【特許文献２】
米国特許第４９２３０６５号明細書
【特許文献３】
米国特許第５０７１００９号明細書
【特許文献４】
特開平７−３３０３４号公報
【０００４】
上記ハンモック包装は、被包装物を支えているのが弾性材料のシートであるから、もちろん包装の対象は比較的小型の物品や重量の軽い物に限られるが、それでもしばしば、輸送中に被包装物が外箱の底壁に底着きして破損するなどの問題が生じる。その対策は、まず弾性シートの強度を高くすることであるが、そうするとシートの弾性のために枠で被包装物を挟んだものを外箱におさめるときの反撥力が大きくなっておさめにくくなったり、上下１対の枠の一方、とくに下側のものがつぶれたりする。
枠（緩衝部材）は、例えば、図３に示すように、板紙などを打ち抜いて開口部１０を設け、その開口部１０に弾性シート３０を張った面（水平支持板４）の四隅を折り曲げて形成し、下方の枠の折り曲げ部（垂直支持板６，８）の高さで箱の底面からの高さを決定し、この部分の面方向圧縮強度で被包装物の重量を支えている。
【０００５】
近年、重量物のハンモック包装の要求が高まりつつあり、これに対応するため、ハンモック包装用の枠の材質として、段ボール紙が一般的に用いられている。しかしながら、日本では、段ボール紙といえば、コスト面から再生段ボール紙が主流であり、バージンパルプ製の段ボールやワックス含浸された段ボール紙と比較して、十分な強度を得ることが困難であった。
このため、ハンモック包装用の枠の材質として、予め再生段ボールを積層させた積層段ボール紙を用いることが考えられるが、積層段ボールを加工することは、非常に困難であり、ハンモック包装用の枠として用いることは、現実的ではなかった。
【０００６】
また、図３に示すように、弾性シート３０は、水平支持板４の開口部１０に粘着剤を用いて張り渡されているが、被包装物が重量物である場合、弾性シート３０が水平支持板４からずれることを考慮して、開口部１０周囲の粘着面を十分確保する必要があるため、余分なスペースが必要であった。
【０００７】
【発明が解決しようとする課題】
本発明は、このような従来技術の有する課題に鑑みてなされたものであり、その目的とするところは、被包装物が重量物であっても、コンパクトで、外部からの衝撃を緩和する緩衝機能に優れているとともに、容易且つ低コストで製作、搬送及び廃棄することができる緩衝体及びこれを用いた包装箱を提供するものである。
【０００８】
【課題を解決するための手段】
すなわち、本発明によれば、２枚の弾性シートの間で被包装物を把持し、前記被包装物を包装箱の壁面から離した状態で保持する１対の緩衝部材からなる緩衝体であって、前記緩衝部材が、開口部を有する水平支持板と、その四辺から垂直に立ち上がり、または立ち下がる垂直支持板からなるブランク材を、前記弾性シートを挟持するように、前記弾性シートの両面に貼り合わせたものであり、ブランク材同士の垂直支持板の方向が同一、且つ、前記開口部に前記弾性シートが張り渡されてなることを特徴とする緩衝体が提供される。
このとき、本発明では、ブランク材同士を、その断面形状において直交するように貼り合わせることが好ましい。
【０００９】
また、本発明では、ブランク材が、厚紙、段ボール紙、プラスチックシート、発泡プラスチックシート、気泡ボード及びプラスチック段ボールのいずれか１つから形成されていることが好ましい。
【００１０】
更に、本発明では、上記緩衝体を用いたことを特徴とする包装箱が提供される。
【００１１】
【発明の実施の形態】
以下、本発明の実施の形態を図面に基づいて更に詳細に説明する。
図１は本発明の緩衝体で用いる緩衝部材の一例を示すものであり、（ａ）は概略斜視図、（ｂ）は（ａ）のＡ−Ａ断面図、図２はブランク材同士をその断面形状において直交するように貼り合わせた時における要部断面図である。
【００１２】
本発明の緩衝体は、例えば、図４〜５に示すように、２枚の弾性シート３０の間で被包装物４０を把持し、被包装物４０を包装箱６０の壁面から離した状態で保持する１対の緩衝部材５０，５２からなるものである。
【００１３】
本発明で用いる緩衝部材は、例えば、図１に示すように、開口部１０を有する水平支持板４と、その四辺から垂直に立ち上がり、または立ち下がる垂直支持板６，８からなるブランク材１，２を、弾性シート３０を挟持するように、弾性シート３０の両面に貼り合わせたものであり、ブランク材１，２同士の垂直支持板６の方向が同一、且つ、開口部１０に弾性シート３０が張り渡されてなるものである。
【００１４】
ここで、本発明で用いる緩衝部材は、２つのブランク材１，２が弾性シート３０を挟持するように、弾性シート３０の両面に貼り合わせることにより、従来の緩衝部材（図３参照）と比較して、ブランク材と弾性シートとの接合面積をほぼ倍にすることができるため、ブランク材と弾性シートとの接合強度を大幅に向上することができる。
これにより、本発明で用いる緩衝部材は、被包装物が重量物であっても、必要最小限のスペースで、弾性シート３０が水平支持板４からずれることを大幅に軽減することができるだけでなく、所定の形状を有するブランク材を積層することにより、簡便且つ低コストで製造することができる。
【００１５】
また、本発明で用いる緩衝部材は、ブランク材１，２同士の垂直支持板６の方向を同一にすることにより、ブランク材１，２が積層化され、垂直支持板６，８の強度を向上させることができるため、特に、再生段ボール紙を使用した場合であっても、被包装物が重量物であっても、輸送中に被包装物が外箱の底壁に底着きして破損することを大幅に軽減することができる。
【００１６】
更に、本発明で用いる緩衝部材は、特に、方向性のあるに素材を用いた場合、ブランク材１，２同士を、その断面形状において直交するように貼り合わせることが好ましい。
より具体的には、例えば、図２に示すように、上下２枚のシート７０で挟み込まれた波形のシート７４を熱溶着し、３層中空積層されたシート状材料から形成されたブランク材１，２を積層させる場合、互い違い、より好ましくは、その断面形状において直交するように積層させることにより、強度に指向性を有するシート状部材の弱点を解消することができ、より優れた緩衝部材を得ることができる。
特に、再生段ボール紙やプラスチック段ボールを使用する際、好適に用いることができる。
【００１７】
尚、ブランク材を形成するシート状材料は、厚紙、段ボール紙、プラスチックシート、発泡プラスチックシート、気泡ボード及びプラスチック段ボールから選んだものが適当である。
ここで、プラスチック段ボールは、例えば、ポリプロピレン（ＰＰ）を主原料とするプラスチック段ボールであることがより好ましい。
また、気泡ボードは、特に限定されないが、例えば、ポリプロピレン（ＰＰ）又は高密度ポリエチレン（ＰＥ）を主原料とする気泡ボード（プラパール）であることが好ましい。
【００１８】
【発明の効果】
以上説明した通り、本発明の緩衝体及びこれを用いた包装箱は、被包装物が重量物であっても、コンパクトで、外部からの衝撃を緩和する緩衝機能に優れているとともに、容易且つ低コストで製作、搬送及び廃棄することができる。
【図面の簡単な説明】
【図１】本発明の緩衝体で用いる緩衝部材の一例を示すものであり、（ａ）は概略斜視図であり、（ｂ）は（ａ）のＡ−Ａ断面図である。
【図２】ブランク材同士をその断面形状において直交するように貼り合わせた時における要部断面図である。
【図３】従来の緩衝体で用いる緩衝部材の一例を示すものであり、（ａ）は概略斜視図であり、（ｂ）は（ａ）のＡ−Ａ断面図である。
【図４】緩衝部材を用いて包装箱を組み立てる過程を示す斜視図である。
【図５】図４に示す包装箱の縦断面図である。
【符号の説明】
１，２…ブランク材、
４…水平支持板、
６，８…垂直支持板、
１０…開口部、
３０…弾性シート、
４０…被包装物、
５０，５２…緩衝部材、
５４…緩衝体、
６０…箱、
７０…シート、
７４…波形のシート。
【図１】
2004284596.tif 000003
【図２】
2004284596.tif 000004
【図３】
2004284596.tif 000005
【図４】
2004284596.tif 000006
【図５】
2004284596.tif 000007